(57)【特許請求の範囲】
【請求項１】
多回投与操作分の粉末薬剤を貯蔵可能な薬剤貯蔵室（５ａ）を規定する手段と、
前記薬剤貯蔵室（５ａ）底面の下部に設けた単回投与用操作分の粉末薬剤を収容可能な薬剤収容部（５ｂ）と、
前記薬剤貯蔵室（５ａ）の底面との間で接触を保ちつつ充填位置と投与位置との間を移動可能で、充填位置にて開口手段（２ｆ）により前記薬剤収容部（５ｂ）を前記薬剤貯蔵室（５ａ）に対して開口し、投与位置にて前記薬剤収容部（５ｂ）を前記薬剤貯蔵室（５ａ）に対して閉鎖すると共に管（２ｇ、２ｄ）を介して前記薬剤収容部（５ｂ）を装置の外部へ連通させる薬剤導出部（２）と、
前記薬剤貯蔵室（５ａ）底面の下部に設けた穴（５ｃ）に連通し、かつ前記薬剤導出部（２）を充填位置と投与位置の間で移動させるための手段（１３）と、
前記薬剤収容部（５ｂ）の底部に設けたフィルター（６ａ）を介して該薬剤収容部（５ｂ）に空気を送り込むことのできるポンプ部（３）と、
を具備し、
前記薬剤導出部（２）は、充填位置にあるとき前記薬剤貯蔵室（５ａ）内の粉末薬剤が前記開口手段を介して前記薬剤収容部（５ｂ）内に充填可能とし、その際、前記穴（５ｃ）は、前記管（２ｇ、２ｄ）を介してポンプ部（３）と外部とを連通させることが可能な場所に位置し、
投与位置では、該薬剤収容部（５ｂ）内の粉末薬剤が空気と共に前記管（２ｇ、２ｄ）を介して装置外部へ噴射され、その際、前記穴（５ｃ）を前記開口手段（２ｆ）とは接合させずに閉鎖するように構成したことを特徴とする粉末薬剤多回投与器。
【請求項２】
前記薬剤貯蔵室（５ａ）と前記薬剤収容部（５ｂ）とは樹脂にて一体成形されて装置本体（１）を規定することを特徴とする請求項１に記載の粉末薬剤多回投与器。
【請求項３】
前記薬剤導出部（２）は、下部の円盤状部分と、該円盤状部分から上方に延びた柱状部分とが樹脂で一定成形されたものであり、前記開口手段（２ｆ）は円盤状部分を上下に貫通するように設けられ、前記管（２ｇ、２ｄ）は一端が該円盤状部分下面（２ｅ）に開口すると共に他端が前記柱状部分の上端で開口していることを特徴とする請求項１に記載の粉末薬剤多回投与器。
【請求項４】
前記本体（1）は略円形であり、
前記薬剤導出部（２）の前記円盤状部分は、前記本体の薬剤貯蔵室（５ａ）の内径以下の径を有し、
該薬剤導出部（２）は充填位置と投与位置との間を所定の角度範囲内で回転するように構成されていることを特徴とする請求項３に記載の粉末薬剤多回投与器。
【請求項５】
前記本体（１）は、前記薬剤貯蔵室（５ａ）の上部にふた部（４）をさらに具備し、該ふた部は中央に前記薬剤導出部（２）の柱状部分を通じさせるための軸穴（１１）を有し、該ふた部、前記薬剤貯蔵室（５ａ）および前記薬剤導出部（２）により、薬剤貯蔵室（５ａ）の密閉性を可能にしたことを特徴とする請求項１に記載の粉末薬剤多回投与器。
【請求項６】
前記薬剤導出部（２）の円盤状部分の底面（２ｅ）が薬剤貯蔵室（５ａ）の底面に接触し、且つ前記柱状部分に前記ふた部（４）の内面に接触するように設けた接合部（１０）により、前記薬剤導出部（２）の上下位置が規制されると共に、前記薬剤導出部（２）の円盤状部分の底面（２ｅ）が薬剤貯蔵室（５ａ）の底面に対して密接されることを特徴とする請求項５に記載の粉末薬剤多回投与器。
【請求項７】
前記薬剤導出部（２）は、柱状部分の前記接合部（１０）の上部に前記ふた部（４）の軸穴に嵌合する円形断面の軸部（２ｊ）を有し、更にその上部に断面が非円形の軸部（２ｋ）を有し、薬剤導出部（２）を充填位置と投与位置との間で移動させるための、装置外部より操作する前記手段は、回転式噴霧計量切替え装置（１３）であり、該切替え装置（１３）は前記薬剤導出部（２）の柱状部分の前記非円形断面の軸部（２ｋ）に嵌合する非円形穴（１３ｃ）を有し、
前記薬剤導出部（２）は、該切替え装置（１３）の回転操作に連動して充填位置と投与位置との間を移動することを特徴とする請求項６に記載の粉末薬剤多回投与器。
【請求項８】
前記非円形断面の軸部（２ｋ）及びこれに嵌合する非円形穴（１３ｃ）の断面形状はホームベース形の五角形であることを特徴とする請求項７に記載の粉末薬剤多回投与器。
【請求項９】
前記回転式噴霧計量切替え装置（１３）は、径の大きな円筒部分（１３ａ）と、径の小さな円筒部分（１３ｂ）とが樹脂で一体成形されたものであり、
径の大きな円筒部分の外周が回転操作部を形成し、径の小さな円筒部分は内部に粉末薬剤の通過経路（２ｃ）を規定すると共に、基部に前記非円形穴（１３ｃ）を有し、先端（２ｈ）は噴霧口を規定することを特徴とする請求項７に記載の粉末薬剤多回投与器。
【請求項１０】
前記回転式噴霧計量切替え装置（１３）は、前記本体（１）および前記薬剤導出部（２）から着脱自在に形成されていることを特徴とする請求項７に記載の粉末薬剤多回投与器。
【請求項１１】
前記薬剤導出部（２）の円盤状部分の底面（２e）の中央部には中心穴（１４）が設けられ、前記薬剤貯蔵室（５ａ）の底面中央には中心穴（１４）に嵌合する軸としての突起（８）が設けられており、前記薬剤導出部（２）の回転を安定にすることを特徴とする請求項３に記載の粉末薬剤多回投与器。
【請求項１２】
前記回転式噴霧計量切替え装置（１３）は前記径の大きな円筒部分（１３ａ）の上面に前記非円形穴（１３ｃ）を中心とする円弧状溝（１３ｄ）を有し、前記ふた部（４）は、上面に該円弧状溝（１３ｄ）に挿入可能な突起（４ａ）を有し、これにより前記薬剤導出部（２）および回転式噴霧計量切替え装置（１３）の回転が規制され、
前記突起（４ａ）が該円弧状溝（１３ｄ）の一端に位置するとき粉末薬剤の充填位置を規定し、他端に位置するとき粉末薬剤の投与位置を規定することを特徴とする請求項４に記載の粉末薬剤多回投与器。
【請求項１３】
前記薬剤導出部（２）の円盤状部分の底面における、前記開口手段（２ｆ）の中心と、前記管（２ｇ）の開口部の中心との角度（ｘ）は、前記回転式噴霧計量切替え装置（１３）の前記非円形穴（１３ｃ）の中心と前記径の大きな円筒部分（１３ａ）の上面にある円弧状溝（１３ｄ）の一端から他端までの角度（ｙ）とが、同一またはごく僅かに小さく（ｘ≦ｙ）、６０度〜１８０度の範囲であることを特徴とする請求項４に記載の粉末薬剤多回投与器。
【請求項１４】
前記薬剤導出部（２）の円盤状部分の薬剤貯蔵室（５ａ）側の角度は、該円盤状部分の底面（２ｅ）に対して１５度〜４５度の範囲で角度（α）で周辺部から中心部に向けて上方に傾斜していることを特徴とする請求項２に記載の粉末薬剤多回投与器。
【請求項１５】
前記薬剤導出部（２）に設けた前記管（２ｇ）は該薬剤導出部（２）の底面（２ｅ）に対して２０度〜７０度の範囲で角度（β、γ）で上方に傾斜していることを特徴とする請求項２に記載の粉末薬剤多回投与器。
【請求項１６】
前記薬剤導出部（２）の前記開口手段（２ｆ）は、円盤状部分を上下に貫通する穴（２ｆ）であることを特徴とする請求項１に記載の粉末薬剤多回投与器。
【請求項１７】
前記開口手段（２ｆ）は、前記円盤状部分の底面（２ｅ）における開口部から上方に延びていて、前記薬剤貯蔵室（５ａ）に面する側において、ポケット状のくぼみ（２ｍ）を形成し、該くぼみ（２ｍ）が薬剤貯蔵室（５ａ）内の粉末薬剤を薬剤導出部（２）の充填・投与の切替え動作中に前記薬剤収容室（５ｂ）へスムーズに運び込むように補助することを特徴とする請求項１６に記載の粉末薬剤多回投与器。
【請求項１８】
前記薬剤導出部（２）の前記柱状部分の外側に１枚もしくは複数枚の翼（２ｌ）を有し、該薬剤導出部（２）が充填位置と投与位置との間を移動することにより薬剤貯蔵室（５ａ）内の粉末薬剤を撹拌するようにしたことを特徴とする請求項４に記載の粉末薬剤多回投与器。
【請求項１９】
前記ポンプ部（３）は、内部に空気室を規定するように少なくとも一部が可撓性の樹脂で構成され、該ポンプ部（３）の開口部分が本体（１）の下部に結合され、該ポンプ部（３）を押圧・弛緩することにより空気室内部に空気を前記フィルター（６）を介して前期薬剤収容室（５ｂ）に吹き付け、前記管（２ｇ、２ｄ、２ｃ）を介して粉末薬剤を装置外部へ噴霧できるように構成されていることを特徴とする請求項１に記載の粉末薬剤多回投与器。
【請求項２０】
フィルター（６）は前記薬剤収容室（５ｂ）に面した側に凹部または凸部を有し、前記薬剤収容室（５ｂ）の容積を調節可能とすることを特徴とする請求項１に記載の粉末薬剤多回投与器。
【請求項２１】
該薬剤導出部（２）が、ポリカーボネート、ＡＢＳ、ハイインパクトポリスチレン、および環状オレフィンコポリマーからなる群から選ばれる１種以上の高分子材料で成形されることを特徴とする請求項１に記載の粉末薬剤多回投与器。
【請求項２２】
装置の一部に乾燥剤を搭載することを特徴とする請求項１に記載の粉末薬剤多回投与器。
【請求項２３】
ディスポーザブルであることを特徴とする請求項１に記載の粉末薬剤多回投与器。
【請求項２４】
体腔内投与用であることを特徴とする請求項１に記載の粉末薬剤多回投与器。
【請求項２５】
鼻腔内投与用であることを特徴とする請求項１に記載の粉末薬剤多回投与器。
【請求項２６】
肺内吸入投与用であることを特徴とする請求項１に記載の粉末薬剤多回投与器。
【発明の詳細な説明】
技術分野
本発明は、粉末体の定量供給装置および方法、特に粉末薬剤の多回投与器に関する。
さらに詳しくは、本発明は、本体装置内に貯蔵された複数回投与操作分の粉末薬剤を微量の単回投与操作分の粉末薬剤に定量性よく分割秤量し、噴霧できる粉末薬剤多回投与器に関する。
本発明は、単回投与操作分の粉末薬剤に連続的にかつ精度良く分割して、鼻腔、口腔、気管、気管支、肺胞などの体腔内もしくはその他の患部に噴霧または吸入投与する為の、衛生的で、携帯に便利で、かつ使用時の操作が簡便であり、また比較的安価な粉末薬剤多回投与器を提供するものである。
背景技術
粉末状の薬剤が体腔、例えば鼻腔、口腔、気道などに噴霧あるいは吸入により投与されている。例えば、鼻アレルギーの患者に対し、粉末状の薬剤が鼻腔内に噴霧投与されているし、喘息の患者に対しては、吸入により気道に投与されている。また、口内炎の患者に対しては、口腔内に噴霧投与されている。さらに最近は、鼻腔、肺などの粘膜を通して薬物を全身血流に吸収させるドラッグデリバリーシステムが注目されており、粉末状の薬剤をそれらの粘膜へ投与することも試みられている。例えば、インスリン、カルシトニンなどのペプチド・蛋白質性薬物や、片頭痛薬などの即効性を必要とする薬物などは注射剤に変わる簡便な製剤として粉末状の経鼻剤もしくは吸入剤などの研究開発が実施され、経口剤などよりも吸収性の良好なことが多数報告されている。
このような粉末薬剤の投与においては、粉末状薬剤投与器が使用されるが、このような投与器は粉末薬剤の収容方式から次の２つに大別される。
第１として、単回投与操作分の量の粉末薬剤を一つの単位として投与器そのもの、もしくはカプセルなどの適当な容器に収納し、各投与操作により単回操作分の粉末薬剤のみ投与しうる、いわゆる単回投与器と呼ばれるものである。この中には、単回投与操作の度に廃棄可能なディスポーザブルタイプのものもある。
第２は、複数回（多回）の投与操作分の粉末状薬剤を適当な容器に集合して収納しており、その容器から単回操作分の粉末薬剤を分割し投与しうる、多回投与器と呼ばれるものである。
以下本発明では、粉末薬剤の単回投与操作分の量を「単回投与量」と、また複数回投与操作分の量を「多回投与量」という。
粉末薬剤の単回投与器の例としては、鼻腔内に噴霧投与を可能にするものとして、特開昭５９−３４２６７号公報などに公開されている。これらの投与器では、一般に粉末薬剤の単回投与量がカプセルなどの容器に収納されており、その容器の保持部、その容器を穿孔する手段、およびその容器から粉末薬剤を患者の鼻腔内などに噴霧する為の空気流の導入手段などが備えられている。さらに、ディスポーザブル単回投与器の例としては、特表平２−５００１７２号公報に、微粉末薬剤が封入され、かつその頭部には薬剤の噴霧または吸入用の開口部が形成されるように構成されている保持部と、空気導入手段とからなり、その保持部の底部が、薬剤不透過性の通気性隔膜を介して空気導入手段と連設している投与器が公開されている。さらに、ＷＯ９７／０４８２６号明細書中には、これを改良した投与器が開示されている。
また、気道内に吸入される粉末薬剤の単回投与器としては多くのものが公開されている。例えば、薬学的に通常使用されるカプセルを用いる吸入用投与器である。このカプセルには、吸入されるべき単回投与量の粉末薬剤が、収容されており、それぞれの投与器によりこのカプセルを穿孔するそれぞれの手段を備えている。粉末薬剤は、カプセル穿孔後、使用者による吸引作用によって生ずる空気流により投与される。この際、吸入時の空気流とカプセルの状態にそれぞれの投与器に特徴があり、アメリカ特許第３，９０６，９５０号公報ならびに同第４，０１３，０７５号公報では、カプセルの両端を穿孔し、吸入時そのカプセルが静止した状態になるもの、また、同第３８０７４００号公報には、吸入時にカプセルが移動するものを開示している。
一方、多回投与器の例としては、噴霧投与可能なものとしてＷＯ９４／２６３３８号明細書が公開されている。同明細書には、装置本体と、その装置本体に着脱自在に取り付けられかつ薬剤の多回投与量を貯蔵可能な貯蔵室と、単回投与量分の容量をもった収容室を有し、充填位置にて貯蔵室と収容室を連通させ、その収容室の薬剤を投与可能にする為の装置本体に可動に取り付けられた薬剤分配手段と、充填位置にてその収容室を通して貯蔵室へ空気を噴射して貯蔵室内の薬剤を攪拌するポンプ手段とを具備し、攪拌後の一定量の粉末薬剤をポンプ手段による吸引力もしくは重力によって、貯蔵室から収容室へ充填させることを特徴としている装置が開示されている。
さらには、鼻腔内容投与器の例としては、ヨーロッパ特許公開第０７４４１８８号公報に記されており、粉末薬剤を噴霧する為の空気流の手動式供給源と、多回投与量の粉末薬剤の貯蔵室と、粉末薬剤の流出管と、多回投与量の粉末薬剤を単回投与量に分配する為の設備とからなる鼻腔アプリケーターなるものを開示している。その粉末薬剤の設備は、ドラム型の粉末薬剤貯蔵室と、その内側に複数の単回投与量の薬剤を収容する収容室を備えた回転スリーブからなるものである。
また、気道内に吸入投与される粉末薬剤の投与器としては、ヨーロッパ特許公開第０２１１５９５号公報に記されているようなものがある。この投与器には、装置内部に円盤状のパックが充填されるようになっており、このパックには、その周囲に近い位置で一連の気泡が互いにそしてパックの中心から等距離に設けられている。これらの気泡には、一定量（単回投与量）の粉末状薬剤が収容される。このパックは、その中心線を中心として、回転自在な円形トレイに乗せられる。このトレイには、ここの気泡に対応する位置に穴が設けられており、ここの気泡が、適当な開封装置により破られる所定の位置に移動すると粉末状薬剤が取り出されて吸入できる仕組みになっている。
また、ヨーロッパ特許公開第００６９７１５号公報には次の装置が記載されている。この投与器は、一定量の薬剤を収容した容器と、その容器内に収容した粉末薬剤を取り出し、投薬の準備を行える装置を備えている。この取り出し投薬準備装置は、所定の厚さを有し所定個の貫通孔を形成されたプレートからなる。このプレートは、貫通孔の一部が容器から取り出された粉末薬剤で機械的な手段により満たされる位置から、薬剤を満たされた穴が通路内に位置付けられるもう一つの位置に移動できる。使用者によってこの通路と連通する吸入口を介してもたらされる吸引の結果、空気が通路内に入り、貫通孔から粉末薬剤を取り出す。スクレイパー装置も設けて、プレートに形成した貫通孔内の粉末薬剤の容器の方を向いた側をならす。この明細書によれば、このスクレイパー装置により、貫通孔の完全な充填がもたらされ、したがって一定の服用量を保証できる。この明細書には、このスクレイパー装置は必ずしも必要でないと述べられているが、吸入投与器が適正な動作を行うには必須のものであると考えられる。なぜなら、このスクレイパーがないと服用量は極端に異なったものとなるからである。というのも、使用する粉末状薬剤は流動性に乏しいものが多く、ここの貫通孔が粉末薬剤によって完全に満たされないということが頻繁に起こりうるからである。
上述のごとく、従来多くの投与装置が考案されているにもかかわらず、それぞれには課題が認められる。
例えば、単回投与器と多回投与器を比較した場合、利便性、市場性などの点から、多回投与器の方が望まれる傾向が強い。それは、単回投与器の場合、例えば特開昭５９−３４２６７号公報などのような装置では、単回投与量の薬剤が予め封入されているカプセルなどの容器が必要であり、またその装置内には、その容器を穿孔する手段が備わっている。そのため使用者は、各投与器の使用法にのっとって、粉末薬剤入りの容器を装着し、かつそれを穿孔するという作業を必要とする。これは、使用者にとって利便性が良いとはいえない。また、使用者は、投与に備え、投与装置とさらに粉末薬剤入りの容器を携帯する必要があり、これもまた利便性の点で問題がある。また、ＷＯ９７／０４８２６号明細書には、投与操作を簡素化したものが示されているが、この場合、複数回の投与を必要とする使用者は、複数個の単回投与量の薬剤が封入された投与器を必要とし、携帯性という点で問題が残っている。
一方、多回投与器の場合、上述の単回投与器の欠点である、利便性などは解決されているものの、別の重要な課題が存在する。すなわち、多量の集合した粉末薬剤から単回の投与操作に必要な粉末薬剤を連続的かつ定量的に分割して投与することは集合した粉末薬剤の密度の変化、偏りなどの物性の面から非常に困難である。
この課題に対し、これまでいくつかの考案がなされてきた。例えば、前述のヨーロッパ特許公開第００６９７１５号公報に示されているごとく、所定容量の貫通孔に連続的に粉末薬剤をスクレイパーなどで押さえながら満たす方法がある。しかし、この方法によっても例えば投与器全体に振動が加わることにより、粉末薬剤の嵩密度が変化し、所定の容量の貫通孔に充填される薬剤の実質的な量が変化してしまい、その結果生体に投与される薬剤量が一定にならなくなるという欠点がある。さらにヨーロッパ特許公開第０７４４１８８号公報でも、薬剤を定量的に分割する手段として、ドラム型の粉末薬剤貯蔵室と、その内側に複数の単回投与量の薬剤を収容する収容室を備えた回転スリーブからなるものを提示しているが、比較的複雑でかつ多数の部品とから形成され、成型のし難さやそれに伴うコスト高などが問題視されている。
また、特開平３−１８３７６号公報には多量の集合した粉末薬剤を圧縮し、その結果生じた粉末薬剤圧縮体を連続的に定量分割して擦り剥がす多回投与器が示されている。この方法では、粉末薬剤を圧縮することにより分割する薬剤の定量性を確保しようとしているが、この方法においても投与器全体に振動が加わることにより、粉末薬剤圧縮体の嵩密度が変化し、その結果、擦り剥がされる粉末薬剤圧縮体の重量が変化してしまい、その結果生体に投与される薬剤量が一定にならなくなるという欠点がある。また、これらの粉末薬剤を均一に分割する為の手段は比較的複雑であり、実際に臨床使用する為には、成型のし難さやそれに伴うコスト高などの課題も併発している。
また、ＷＯ９４／２６３３８号明細書などの多回投与器は、各分割操作の直前に貯蔵室内の集合した粉末薬剤に空気流を通すことにより、集合した薬剤を貯蔵室内空間で移動させることにより粉末薬剤の密度の変化を防ぎ、単回投与量の粉末薬剤を吸引力および／または重力により粉末薬剤の収容室に収容することにより、連続かつ定量的に単回投与量の薬剤を分割かつ投与できるが、貯蔵部、単回投与量分の薬剤収容室、薬剤定量分割手段、ポンプ手段などから構成され、また粉末薬剤を密度の変化が生じないように移動させる為の十分なスペースが必要となる為に、複雑な部品を要しかつ形態に不便な大きなサイズの投与器になることが課題としてあげられる。
また、粉末投与薬剤においては投与される薬剤が投与器から離れた際に薬剤を構成する粉末一次粒子に分散されて投与部位に沈着することが望ましい。しかし、粒子によっては保存中凝集をおこし二次粒子が生成し、一次粒子とは粒度分布がより大きい方に偏ることが知られている。従って粉末薬剤が投与器から離れる際にはたとえ投与器内で貯蔵中に凝集を起こしても投与器の構造上の工夫で一次粒子にまで分散されることが望ましい。
また、薬剤収容室で定容積的に単回分の薬剤を分割する方式では、もし粉末薬剤のかさ密度が薬剤のロットによって異なる場合には分割される薬剤の重量が変化してしまうことになる。従って、薬剤のかさ密度の変化に対応して投与される薬剤の重量を調節することが出来ることが望ましい。
以上より、従来の粉末薬剤投与器は、投与薬剤量の定量性、小型化による携帯性、操作の簡便性、操作の迅速性、製造工程の簡易性、構成部品の単純性、製造に関する低コスト性、粉末薬剤粒子の分散性などの条件をすべて満たしているものはないのが現状である。
発明の開示
以上に説明した従来技術における問題点、ならびに課題に鑑み、本発明は以下のような粉末薬剤多回投与器を提供するものである。
すなわち、本発明の目的は、定量噴霧性、小型化（携帯性）、操作の簡便性・迅速性、製造工程の簡易性、粉末薬剤の分散性、部品の最少化、低コスト化等を兼ね備えた粉末薬剤多回投与器を提供することである。
すなわち本発明は、多回投与操作分の粉末薬剤を貯蔵可能な薬剤貯蔵室（５ａ）を規定する手段と、
前記薬剤貯蔵室（５ａ）底面の下部に設けた単回投与用操作分の粉末薬剤を収容可能な薬剤収容部（５ｂ）と、
前記薬剤貯蔵室（５ａ）の底面との間で接触を保ちつつ充填位置と投与位置との間を移動可能で、充填位置にて開口手段（２ｆ）により前記薬剤収容部（５ｂ）を前記薬剤貯蔵室（５ａ）に対して開口し、投与位置にて前記薬剤収容部（５ｂ）を前記薬剤貯蔵室（５ａ）に対して閉鎖すると共に管（２ｇ、２ｄ）を介して前記薬剤収容部（５ｂ）を装置の外部へ連通させる薬剤導出部（２）と、
前記薬剤貯蔵室（５ａ）底面の下部に設けた穴（５ｃ）に連通し、かつ前記薬剤導出部（２）を充填位置と投与位置の間で移動させるための手段（１３）と、
前記薬剤収容部（５ｂ）の底部に設けたフィルター（６ａ）を介して該薬剤収容部（５ｂ）に空気を送り込むことのできるポンプ部（３）と、
を具備し、
前記薬剤導出部（２）は、充填位置にあるとき前記薬剤貯蔵室（５ａ）内の粉末薬剤が前記開口手段を介して前記薬剤収容部（５ｂ）内に充填可能とし、その際、前記穴（５ｃ）は、前記管（２ｇ、２ｄ）を介してポンプ部（３）と外部とを連通させることが可能な場所に位置し、
投与位置では、該薬剤収容部（５ｂ）内の粉末薬剤が空気と共に前記管（２ｇ、２ｄ）を介して装置外部へ噴射され、その際、前記穴（５ｃ）を前記開口手段（２ｆ）とは接合させずに閉鎖するように構成したことを特徴とする粉末薬剤多回投与器である。
本発明によると、装置外部からの操作により薬剤導出部を容易に移動することができ、薬剤導出部が充填位置にあるとき、薬剤貯蔵室内の粉末薬剤が薬剤導出部に設けられた開口手段を介して薬剤収容部内へ落下して充填される。薬剤導出部を充填位置から投与位置へ移動する際に薬剤収容部内の粉末薬剤がこの薬剤収容部の容量に相当する単回操作分の分量に擦り切り計量される。その後は、薬剤収容部は自体により閉鎖される。薬剤導出部が更に移動して投与位置へくると、薬剤導出部の前記管の開口部が薬剤収容部と整合する位置となる。そこで、ポンプ部を操作することにより薬剤収容部内に空気が圧入され薬剤収容部内の粉末薬剤が空気と共に前記管を介して装置外部へ噴射される。
前記薬剤貯蔵室と前記薬剤収容部とは樹脂にて一体成形されて装置本体を規定することを特徴とする。これにより薬剤貯蔵室と薬剤収容室を含む装置本体の構造を簡単にし且つ製造の容易なものとなる。
前記薬剤導出部は、下部の円盤状部分と、該円盤状部分から上方に延びた柱状部分とが樹脂で一定成形されたものであり、前記開口手段は円盤状部分を上下に貫通するように設けられ、前記管は一端が該円盤状部分下面に開口すると共に他端が前記柱状部分の上端で開口していることを特徴とする。薬剤導出部の構造を樹脂の一体成形品とすることにより、開口手段および管をこの薬剤導出部自体を使用して、粉末薬剤の充填および投与の案内をすることが可能となる。
前記本体は略円形であり、前記薬剤導出部の前記円盤状部分は、前記本体の薬剤貯蔵室の内径以下の径を有し、該薬剤導出部は充填位置と投与位置との間を所定の角度範囲内で回転するように構成されていることを特徴とする。これにより回転操作のみで薬剤導出部を充填位置と投与位置との間の切替えが可能となる。
前記本体は、前記薬剤貯蔵室の上部にふた部を具備し、該ふた部は中央に前記薬剤導出部の柱状部分を通じさせるための軸穴を有し、該ふた部、前記薬剤貯蔵部および前記薬剤導出部により、薬剤貯蔵室の密閉性を可能にしたことを特徴とする。これにより薬剤貯蔵室の密閉性が確保され、不用意な粉末薬剤の漏れなどを防止することができる。
前記薬剤導出部の円盤状部分の底面が薬剤貯蔵室の底面に接触し、且つ前記柱状部分に前記ふた部の内面に接触するように設けた接合部により、前記薬剤導出部の上下位置が規制されると共に、前記薬剤導出部の円盤状部分の底面が薬剤貯蔵室の底面に対して密接されることを特徴とする。これにより薬剤導出部の円盤状部分の底面と薬剤貯蔵室の底面との密着が維持され、粉末薬剤の正確な計量と確実な動作が確保される。
前記薬剤導出部は、柱状部分の前記接合部の上部に前記ふた部の軸穴に嵌合する円形断面の軸部を有し、更にその上部に断面が非円形の軸部を有し、薬剤導出部を充填位置と投与位置との間で移動させるための、装置外部より操作する前記手段は、回転式噴霧計量切替え装置であり、該切替え装置は前記薬剤導出部の柱状部分の前記非円形断面の軸部に嵌合する非円形穴を有し、前記薬剤導出部は、該切替え装置の回転操作に連動して充填位置と投与位置との間を移動することを特徴とする。前記非円形断面の軸部及びこれに嵌合する非円形穴の断面形状は駒形の五角形であることを特徴とする。これにより、回転式噴霧計量切替え装置を装置外部から回転させるだけの操作で、薬剤導出部を充填位置と投与位置との間で切替えを行うことができ、容易な操作が確保される。
前記回転式噴霧計量切替え装置は、径の大きな円筒部分と、径の小さな円筒部分とが樹脂で一体成形されたものであり、径の大きな円筒部分の外周が回転操作部を形成し、径の小さな円筒部分は内部に粉末薬剤の通過経路を規定すると共に、基部に前記非円形穴を有し、先端は噴霧口を規定することを特徴とする。切替え装置の径の大きな円筒部分で切替え操作を行えるので操作が容易であり、径の小さな円筒部分は粉末薬剤の通過経路の一部を形成するので、粉末薬剤を装置の最先端の位置に噴霧口まで搬送することができ、粉末薬剤を患部の近くにて噴射することができる。
前記回転式噴霧計量切替え装置は、前記本体および前記薬剤導出部から着脱自在に形成されていることを特徴とする。これにより切替え装置が本体および薬剤導出部から、即ち投与器自体から取り外して、洗浄などを行うことができ、また容易に投与器自体に装着することができる。
前記薬剤導出部の円盤状部分の底面の中央部には中心穴が設けられ、前記薬剤貯蔵室の底面中央には中心穴に嵌合する軸としての突起が設けられており、前記薬剤導出部の回転を安定にすることを特徴とする。これにより薬剤導出部の回転を安定にし、回転式噴霧切替え計量装置の回転も容易にすることができる。
前記回転式噴霧計量切替え装置は前記径の大きな円筒部分の底面に前記非円形穴を中心とする円弧状溝を有し、前記ふた部は、上面に該円弧状溝に挿入可能な突起を有し、該突起により前記薬剤導出部および回転式噴霧計量切替え装置の回転が規制され、該突起が該円弧状溝の一端に位置するとき粉末薬剤の充填位置を規定し、他端に位置するとき粉末薬剤の投与位置を規定することを特徴とする。
前記円弧状溝は、薬剤貯蔵室内の粉末薬剤とは隔離された部分に位置し、また粉末薬剤噴霧の際にも薬剤の通り道からも隔離されているため、粉末薬剤に触れることが無い。したがって、かかる溝に粉末薬剤が詰まることは無いので、粉詰まりによってふた部の突起（４ａ）が該溝を十分に移動することができなくなることにより粉末薬剤の定量性を維持できなくなることが無い。
また、前記ふた部と前記薬剤貯蔵室とは固定されて密着されていることを特徴とし、これにより、上述の該突起と該円弧状溝による粉末薬剤の充填位置および投与位置の規定を厳格に保つことができる。
前記薬剤導出部の円盤状部分の底面における、前記開口手段の中心と、前記管の開口部の中心との角度（ｘ）は、６０度〜１８０度である。また、前記回転式噴霧計量切替え装置（１３）の前記形の大きな円筒部分（１３ａ）の上面にある前記円弧状溝の一端から多端までの角度（ｙ）は６０度〜１８０度である。角度ｘと角度ｙとの関係は、同一またはｘがｙよりごくわずかに小さい（ｘ≦ｙ）。
前記薬剤導出部の円盤状部分の薬剤貯蔵室側の角度は、該円盤状部分の底面に対して１５度〜４５度の範囲で角度（α）で周辺部から中心部に向けて上方に傾斜していることを特徴とする。
前記薬剤導出部に設けた前記管は該薬剤導出部の底面に対して２０度〜７０度の範囲で角度（β、γ）で上方に傾斜していることを特徴とする。ポンプ部を操作して薬剤収容室内の粉末薬剤を噴射する際、粉末薬剤は管内を円滑に流れることができる。
前記薬剤導出部の前記開口手段は、円盤状部分を上下に貫通する穴であることを特徴とする。
前記穴は、前記円盤状部分の底面における開口部から上方に延びていて、前記薬剤貯蔵室に面する側において、開口部の大きさが前記管の側に大きくなっていて、ポケット状のくぼみを形成し、該くぼみが薬剤貯蔵室内の粉末薬剤を薬剤導出部の充填・投与の切替え動作中に前記薬剤収容室へスムーズに運び込むように補助する用に構成することも可能である。
ここで、くぼみの大きさであるが、薬剤貯蔵室の側に面する面積としては、前記穴の円盤状部分の底面に面する開口面積の０．１倍から２．５倍の範囲であり、０．５倍から１倍の大きさを有する場合が、薬剤を回転式噴霧切替え計量装置の作動時に薬剤収容室へスムーズに運び込むことを補助する効果が高く好ましい。また、くぼみの深さは、前記穴の薬剤収容室側の開口径を変えなければどれほど深くてもかまわないが、実際は成形上の難易度もあり、前記穴の深さの１０〜８０％、特に好ましくは５０％である。
また、くぼみは、薬剤導出部の円盤状部分の厚みを減らす意味も併せ持ち、この厚みを減らすということは、成形時に薬剤導出部の熱の変化による収縮や膨張の妨げに寄与し、本粉末薬剤多回投与器の特徴である精度の高い噴霧製の実現に貢献するものである。
前記薬剤導出部の前記柱状部分の外側に１枚もしくは複数枚の翼を有し、該薬剤導出部が充填位置と投与位置との間を移動することにより薬剤貯蔵室内の粉末薬剤を撹拌するように構成することも可能である。
ここで薬剤導出部が有している翼とは、薬剤導出部と同一の材質で単一部品で成形されたものであるが、その形状や厚みは上記のごとく単一成形できる範囲であればどんなものでもかまわない。また、翼と導出部の薬剤通過経路の中心線とがなす角度は、平行すなわち０度から垂直すなわち９０度のどの範囲でもかまわないが、０度から４５度の範囲にあることが、該切替え装置装置の回転作動時の薬剤の薬剤貯蔵室内の撹拌効率が高く好ましい。
前記ポンプ部は、内部に空気室を規定するように少なくとも一部が可撓性の樹脂で構成され、該ポンプ部の開口部分が本体の下部に結合され、該ポンプ部を押圧・弛緩することにより空気室内部に空気を前記フィルターを介して前期薬剤収容室に吹き付け、前記管を介して粉末薬剤を装置外部へ噴霧できるように構成されていることを特徴とする。
フィルターは前記薬剤収容室に面した側に凹部または凸部を有し、前記薬剤収容室の容積を調節可能とするように構成することも可能である。この場合は、フィルターの凹部または凸部の大きさ、フィルターの向きを変えることにより、薬剤収容室の容積を自在に変更し、単回投与分の粉末薬剤の量を調整することができる。
該薬剤導出部が、ポリカーボネート、ＡＢＳ、ハイインパクトポリスチレン、および環状オレフィンコポリマーからなる群から選ばれる１種以上の高分子材料で成形されることを特徴とする。
また、装置の一部に乾燥剤を搭載すること、この粉末薬剤多回投与器をディスポーザブルなものとすること、また用途として、体腔内投与用、特に鼻腔内投与用や肺内吸入投与用とすることができる。
発明を実施するための最良の形態
本発明の粉末薬剤多回投与器（以下、単に「投与器」ということがある）は、
図３に示すふた部（４）と図２に示す薬剤貯蔵部（５）とからなる本体（１）、
該本体（１）に回転可能に取り付けられた、図４に示す薬剤導出部（２）、
該薬剤導出部（２）と連動して回転する先端に噴霧口（２ｈ）を有する、図６に示す回転式噴霧計量切替え装置（１３）、
薬剤導出の為の手動の圧縮空気源となるその壁部の少なくとも一部が可撓性の容器ないし袋体で構成された、図７に示すポンプ部（３）、
前記噴霧口（２ｈ）を収容する、図８に示す本体カバー（９）及び
薬剤収容室（５ｂ）を仕切る図２および図９、図１０に示すフィルター（６）、
とからなり、以下（Ｉ）から（ＶＩ）までの特徴を有する。
（Ｉ）本体（１）は、ふた部（４）と薬剤貯蔵部（５）とから構成され、該ふた部（４）はその中央に薬剤導出部（２）を該本体（１）に通じさせるための穴（１１）を有し、該ふた部（４）、該薬剤貯蔵部（５）、ならびに該薬剤導出部（２）により薬剤貯蔵室（５ａ）内の密閉性を可能にする。
（ＩＩ）該薬剤貯蔵部（５）が、その内部に多回投与操作可能な量の粉末薬剤を貯蔵可能な薬剤貯蔵室（５ａ）と、該薬剤貯蔵室の底面に単回投与操作分の粉末薬剤の容量をもった薬剤収容室（５ｂ）を有し、該薬剤収容室（５ｂ）の底面に空気を流通させるが粉末薬剤は流通させないフィルター（６）が装着されており、該フィルター部分が該ポンプ部（３）につながりをもった空気連絡口となり、薬剤導出の際該ポンプ部（３）を押圧・弛緩することにより空気が送り込まれる。
（ＩＩＩ）噴霧口（２ｈ）を有する回転式噴霧計量切替え装置（１３）と該本体内中心部に位置する該薬剤導出部（２）とがともに連動して回転するように接続され、回転式噴霧計量切替え装置（１３）は、該本体（１）の薬剤収容室（５ｂ）を通じ、該ポンプ部（３）から送り込まれる粉末薬剤と空気の空気通路（２ｃ）を中央に有し、容易に該本体（１）および薬剤導出部（２）から取り外すことができ洗浄が可能である。
（ＩＶ）該薬剤導出部（２）が、該本体（１）の薬剤収容室（５ｂ）を通じ、該ポンプ部（３）から送り込まれる空気と、粉末薬剤の空気通路（２ｄ）を有し、また該薬剤導出部（２）の底面（２ｅ）が該薬剤貯蔵部（５）の内径以下の円盤状の構造を有しており、該底面（２ｅ）は、該薬剤貯蔵室（５ａ）と、該薬剤収容室（５ｂ）を仕切る機能を有する。
（Ｖ）該薬剤導出部（２）の底面（２ｅ）の一部分には、該薬剤貯蔵室（５ａ）と該薬剤収容室（５ｂ）とをつなげるための、該薬剤収容室（５ｂ）よりも口径の大きい穴（２ｆ）と、該薬剤収容室（５ｂ）と該本体（１）の薬剤収容室（５ｂ）を通じ該ポンプ部（３）から送り込まれる粉末薬剤と空気の空気通路（２ｄ）とをつなげる為の管（２ｇ）を有している。
（ＶＩ）該薬剤導出部（２）を回転式噴霧計量切替え装置（１３）に連動して回転させることにより、まず該薬剤導出部（２）の底面（２ｅ）の穴（２ｆ）を該本体（１）の薬剤収容室（５ｂ）にあわせ、該薬剤貯蔵室（５ａ）と該薬剤収容室（５ｂ）をつなげることにより、該薬剤貯蔵室（５ａ）内の粉末薬剤が、該薬剤収容室（５ｂ）に充填され、その際、該薬剤貯蔵室（５ａ）の底面の穴（５ｃ）は、該薬剤導出部底面の管（２ｇ）と合わさる位置に有る、次に該薬剤導出部（２）を回転式噴霧計量切替え装置（１３）に連動して回転させることにより、該薬剤導出部（２）の底面（２ｅ）が該薬剤収容室（５ｂ）上の薬剤粉末を擦り切ることによって該薬剤収容室（５ｂ）内の粉末薬剤が一定量となり、さらに該薬剤導出部（２）を回転式噴霧計量切替え装置（１３）に連動して回転させることにより、該薬剤収容室（５ｂ）、該管（２ｇ）、該空気通路（２ｄ）、および該噴霧口（２ｈ）とがつながり、該ポンプ部（３）より空気を送り込むことによって一定量に秤量された薬剤粉末が該回転式噴霧計量切替え装置（１３）の噴霧口（２ｈ）より噴霧される。
本発明の投与器は、例えば次のように組み立てることができる。
まず、フィルター（６）を本体（１）の底部外側に設置された薬剤収容室（５ｂ）に外側から押し込んで設定位置に設置する。設定位置は本体（１）成型時に薬剤収容室（５ｂ）に段差を設けることによって規定される。ついで、薬剤導出部（２）をとり、例えば該薬剤収容室（５ｂ）と薬剤導出部（２）にある該薬剤収容室よりも口径の大きい穴（２ｆ）とが一致するような位置で薬剤貯蔵部（５）内へ挿入し、薬剤導出部（２）の底面（２ｅ）の中心の穴（１４）を本体内部底面の中心にある突起（８）に挿入して固定する。ここで粉末薬剤の必要量を本体（１）内薬剤貯蔵室（５ａ）に装填する。ついで、ふた（４）をとり中心の穴（１１）に導出部（２）を通して本体（１）に密着させて固定する。ついで、噴霧口（２ｈ）を有する回転式噴霧計量切替え装置（１３）をとり、導出部（２）の先端の断面が非円形の軸部（２ｋ）を回転式噴霧計量切替え装置（１３）導出部の非円形穴（１３ｃ）に嵌合させることで本体（１）に固定する。軸部（２ｋ）及び非円形穴（１３ｃ）の断面形状は互いの回転位置を一義的に決めるために平行な２辺と、これと直角な１辺と、その反対側の２辺から成るホームベース形の五角形であることが好ましい。この組み付けの際、該ふた部（４）にある突起（４ａ）は、該回転式噴霧計量切替え装置（１３）の底面にある円弧状の穴（１３ｄ）の一端に挿入される。次ぎにポンプ部（３）をとり本体（１）下部に接続して固定し、最後に本体カバーを噴霧口（２ｈ）を覆うように本体（１）に接続して本投与器を完成する。
次に本発明の構成部品の材料について記載する。
本体（１）、薬剤導出部（２）、回転式噴霧計量切替え装置（１３）、ふた部（４）、および本体カバー（９）は通常、ポリエチレン、ポリスチレン、ポリプロピレン、スチレン・アクリロニトリルポリマー（ＡＳ）、アクリロニトリル・ブタジエン・スチレンポリマー（ＡＢＳ）、ポリカーボネート、ハイインパクトポリスチレン、および環状ポリオレフィンコポリマー等からなる群から選ばれる１種以上のポリマーで成型されるのが好ましいが、これら材料に限定されるものではない。
なかでも、薬剤導出部（２）と本体（１）との密着性を高めるためには薬剤導出部（２）はアクリロニトリル・ブタジエン・スチレンポリマー（ＡＢＳ）、ポリカーボネート、ハイインパクトポリスチレン、および環状ポリオレフィンコポリマーからなる群から選ばれる１種以上のポリマーから成型されるのが望ましい。
本発明の薬剤収容室（５ｂ）の一端に設けられるフィルター（６）としては、粉末薬剤を構成する薬物及び賦形剤（薬物のみの場合もある）の粒子の大きさに応じて、適宜篩い用網、およびメンブランフィルター等を用いることができる。例えば鼻腔内噴霧用であれば目開き０．５〜３８μｍ、好ましくは１〜２５μｍの篩い用網、或いは孔径５〜７５μｍ、好ましくは５〜２５μｍのメンブランフィルターが用いられ、気道内噴霧用であれば目開き１μｍ以下のメンブランフィルターが用いられる。篩い用網としては、例えばナイロン、ステンレス製等のものが、メンブランフィルターとしては例えばポリエチレン、ポリプロピレン、コットン、レーヨン、グラスファイバー、焼結フィルター製等のものがあげられる。
尚、薬剤貯蔵室（５ａ）の底面の穴（５ｃ）にも、フィルターを取り付けることも可能である。
本発明のポンプ部（３）は、粉末薬剤を（噴霧ないし吸入）投与するのに必要な空気を押圧するための要素であるが、かかるポンプとしては可撓性材料又は壁部の少なくとも一部が可撓性材料から形成されるものが好ましい。ここで、少なくとも一部が可撓性材料からなるとは、可撓性材料からなる部分を押圧・弛緩することによって、薬剤収容室（５ｂ）に収容された粉末薬剤を噴霧、吸入可能ならしめる機能を有することを意味する。該ポンプ部（３）の全体をかかる可撓性材料で構成する場合や、あるいは例えば該ポンプ部（３）のうち該本体（１）との接合部付近をのぞく部分を可撓性材料で構成し、それ以外は非可撓性材料で構成する場合も含まれる。
そのような可撓性材料としては、例えばポリエチレン、およびポリプロピレン等の弾性を有するプラスチック及び天然或いは合成ゴム等があげられる。
本発明で使用する粉末薬剤は、例えば薬物、乳糖、デンプン、セルロース類、ポリビニルポリマー等従来公知の賦形剤とから構成することもできるし、或いは、薬物単独で構成することもできる。また、必要に応じて従来公知の安定剤、酸化防止剤、等の添加物を適宜加えることもできる。
本発明で使用する薬物としては、幅広く種々の薬物について利用可能である。その具体例としては、消炎ステロイドまたは非ステロイド系消炎薬、鎮痛消炎薬、鎮静剤、鬱病治療薬、鎮咳去痰薬、抗ヒスタミン薬、抗アレルギー薬、制吐薬、睡眠導入薬、ビタミン剤、性ステロイドホルモン薬、抗腫瘍薬、抗不整脈薬、高血圧薬、抗不安薬、向精神薬、抗潰瘍薬、強心薬、鎮痛薬、気管支拡張薬、肥満治療薬、血小板凝集抑制薬、糖尿病薬、筋弛緩薬、片頭痛薬および抗リウマチ薬等の非ペプチド・蛋白質性薬物を挙げることができる。さらには、ホルモン類、サイトカイン類、抗体類、ワクチン類などのペプチド・蛋白質性薬物や、アンチセンスや遺伝子などの核酸類などもその具体例として挙げることができる。
非ペプチド・蛋白質性薬物としては、これらからなる群より選ばれる１種または２種以上のものを用いることができる。なかでも、制吐薬、睡眠導入薬、ビタミン剤、性ステロイドホルモン薬、片頭痛薬および鎮痛薬からなる群より選ばれる１種または２種以上のものを好ましいものとして挙げることができる。
そのような非ペプチド・蛋白質性薬物として詳しくは、例えばヒドロコルチゾン、プレドニゾロン、トリアムシノロン、デキサメタゾン、ベタメタゾン、ベクロメタゾン、フルチカゾン、モメタゾン、フルオコルチン、ブデソニド、サルブタモール、サルメテロールなどの消炎ステロイドまたは非ステロイド系消炎薬；アセトアミノフェン、フェナセチン、アスピリン、アミノピリン、スルピリン、フェニルブタゾン、メフェナム酸、フルフェナム酸、イブフェナック、イブプロフェン、アルクロフェナック、ジクロフェナック、インドメタシンなどの鎮痛消炎薬；スコポラミンなどの鎮静剤；イミプラミンなどの鬱病治療薬；クロモグリク酸ナトリウム、リン酸コデイン、塩酸イソプロテレノール等の鎮咳去痰薬；ジフェンヒドラミン、トリプロリジン、イソチペンジル、クロルフェニラミン等の抗ヒスタミン薬；アンレキサノクス、アゼラスチン、オザクレル、トラニラスト、ケトチフェン等の抗アレルギー薬；オンダンセトロン、グラニセトロン、メトクロプラミド、シサプリド、ドンペリドン等の制吐薬；ブロチゾラム、メラトニン等の催眠導入薬；シアノコバラミン、メコバラミン等のビタミン剤；エストラジオール、エストリオール、プロゲステロン、テストステロン等の性ステロイドホルモン薬；タモキシフェン、テガフール等の抗腫瘍薬；プロプラノロール、アテノロール等の抗不整脈薬；ニカルジピン等の高血圧薬；ジアゼパム等の抗不安薬；ニトラゼパム等の向精神薬；シメチジン、ラニチジン等の抗潰瘍薬；ドパミン等の強心薬；モルヒネ、ブプレノルフィン等の鎮痛薬；オキシトロピウム、オザクレル等の気管支拡張薬；マジンドール等の肥満治療薬；ベラプロスト、カルバシクリン等の血小板凝集抑制薬；アカルボース、ソルビニール等の糖尿病薬；ピナベリウム、イナペリゾン等の筋弛緩薬；エルゴタミン、イミグラン、アルニジタンなどの片頭痛薬；アクタリット、プラトニン等の抗リウマチ薬等からなる群より選ばれる１種または２種以上の非ペプチド・蛋白質性薬物を挙げることができる。
またペプチド・蛋白質性薬物としては、例えば黄体形成ホルモン放出ホルモン類、成長ホルモン放出因子類、ソマトスタチン誘導体類、バゾプレッシン類、オキシトシン類、ヒルジン誘導体類、エンケファリン類、副腎皮質刺激ホルモン誘導体類、ブラジキニン誘導体類、カルシトニン類、インシュリン類、グルカゴン誘導体類、成長ホルモン類、成長ホルモン放出ホルモン類、黄体形成ホルモン類、インシュリン様成長因子類、カルシトニン遺伝子関連ペプチド類、心房性ナトリウム利尿ペプチド誘導体類、副甲状腺ホルモン類、副甲状腺ホルモン放出ホルモン、プロラクチン、甲状腺刺激ホルモン放出ホルモン、アンギオテンシン類、インターフェロン類、インターロイキン類、エリスロポエチン、顆粒球コロニー形成刺激因子、及びマクロファージ形成刺激因子、等のホルモン類、サイトカイン類等を挙げることができる。これらのペプチド・蛋白質性薬物としては、上記の具体例からなる群から選ばれる１種または２種以上のものを用いることができる。
またワクチン類としては、百日咳ワクチン、ジフテリアワクチン、破傷風ワクチン、インフルエンザワクチンなどが挙げられる。
次に本発明の構成部品の寸法、および容積等について記載する。
本発明の本体（１）の内部空間である薬剤貯蔵部（５）の容積は操作性がよくかつ可能な限り最小となるように設定される。より詳しくは、薬剤貯蔵部（５）の内部底面上の中心突起（８）、薬剤収容室（５ｂ）の開口部、薬剤導出部（２）などの大きさ、接続されるポンプ部（３）の大きさとその接続方法、回転式噴霧計量切替え装置（１３）の操作部分（指をあてて回転式噴霧計量切替え装置（１３）を回転させるための部分）の大きさや貯蔵される薬剤の量によって規定される。
本発明の投与器に貯蔵される薬剤の量は薬剤の種類によって異なるが、例えば片鼻腔に１回１５ｍｇの粉末薬剤を両鼻腔に１回ずつ１日２回投与するとした場合（４回／日）、２週間分貯蔵するとなると粉末薬剤量（重量）は１５×４×１４＝８４０ｍｇとなる。粉末薬剤のかさ密度を０．６とすると容積は１．４ｍｌとなる。従って本体（１）の内部を深さ２５ｍｍ、直径１６ｍｍの容積（約５ｍｌ）をもたせておけば内部に収容される薬剤導出部（２）とふた部（４）との接合部（１０）を考慮しても該薬剤を十分に貯蔵できることとなり小型の投与器となることがわかる。
また、該本体（１）内部の薬剤収容室（５ｂ）の容積は、それぞれ１回使用量の粉末薬剤の体積及び必要とされる投与可能回数に応じて適宜定めることができる。通常使用される粉末薬剤の見掛け比重が約０．１〜３．０であり、また粉末薬剤の一回の使用量が約５〜２００ｍｇであることを考慮すると、該薬剤収容室（５ｂ）の体積は約２〜２０００ｍｍ３である。
該薬剤収容室（５ｂ）の容積は、フィルター（６）に長さ（容積）の異なる突起（６ａ）を設けることにより調節することができる。粉末薬剤のかさ密度に応じて該突起（６ａ）の長さ（容積）を調節することにより、粉末薬剤のかさ密度の変化に応じて定量・分割される薬剤の重量を調節することができる。尚、突起の形状は特に限定されないが例えば円錐や円柱等を挙げることができる。
本発明のポンプ部（３）の大きさは、該ポンプ部（３）を１〜数ないし１０回押圧することによって、例えば該薬剤収容室（５ｂ）に収容されている粉末薬剤をほとんど全部排出できる程度の空気の排出量を有するものが好ましい。
さらに本発明の詳細を記載する。
本発明の投与器は、薬剤貯蔵室（５ａ）内の薬剤を、回転式噴霧計量切替え装置（１３）に連動して薬剤導出部（２）を回転させることにより薬剤収容室（５ｂ）に収納し、さらに該薬剤導出部（２）を逆方向に回転させることにより擦り切って単回投与分の薬剤を該薬剤収容室（ｂ）内に分離することにより、スクレーパーなどの特殊な装置を使用せずに、また保存中に起こり得る粉末薬剤のかさ密度の変化や偏りに対しては空気を流通させて密度変化を防ぐなどの手段なしに、薬剤貯蔵室（５ａ）内に貯えられた複数回投与分の粉末薬剤から単回投与分の薬剤を簡単にかつ正確に分離・定量することができる。この際、
（ａ）ふた部（４）を本体（１）に装着することにより薬剤導出部（２）を薬剤貯蔵室（５ａ）に密着させ該薬剤導出部（２）と該薬剤貯蔵室（５ａ）との隙間からの薬剤のロスをなくしたこと、また薬剤貯蔵室（５ａ）内が密閉されるため薬剤粉末の物理的性状が変化しにくいこと、
（ｂ）（ａ）で述べた密着された状態で若干の抵抗をもって該薬剤導出部（２）を回転させることにより粉末薬剤に適度な振動を与え粉末薬剤の密度変化を防いでいること、
（ｃ）該薬剤導出部（２）の底面（２ｅ）に設置された、薬剤貯蔵室（５ａ）と薬剤収容室（５ｂ）とをつなぐ穴（２ｆ）が該薬剤収容室（５ｂ）よりも口径を大きくすることにより薬剤の該薬剤収容室（５ｂ）への収容をより確実としたこと、
（ｄ）その際、該薬剤貯蔵部（５）の底面に設置された穴（５ｃ）が、薬剤導出部（２）の底面（２ｃ）に開口する管（２ｇ）と合致することにより、充填時に該ポンプ部（３）より該薬剤収容室（５ｂ）にかかる空気圧が大幅に減少し、粉末薬剤の充填精度が非常に高いこと、
（ｅ）該薬剤導出部（２）の該薬剤貯蔵室（５ａ）側の面（２ｉ）に該薬剤導出部（２）の底面（２ｅ）に対して角度（α）をもたせ、該薬剤導出部（２）が回転する場合の粉末に適度の振動、運動を与えて流動性を増加させ、該薬剤収容室（５ｂ）への収容を確実としたこと、
などが薬剤収容室（５ｂ）に収容される粉末薬剤の量の均一性に寄与している。
本発明の投与器において、部品数を少なくしたことは装置全体の最小化に寄与していることはいうまでもないが、この他例えば空気通路（２ｄ）が薬剤導出部（２）の軸の中心に設置されていることなどが投与器全体の寸法（高さ）の最小化に寄与しており、携帯にも適する大きさとなっている。
本発明の投与器は該回転式噴霧計量切替え装置（１３）の前記径の大きな円筒部分の底面に前記非円形穴を中心とする円弧状穴（１３ｄ）を有し、かつ該ふた部（４）の上面に該円弧状穴（１３ｄ）に挿入可能な突起（４ａ）を有し、これらにより該回転式噴霧計量切替え装置（１３）の回転が制御され、かつ該穴（１３ｄ）の最端部に該突起（４ａ）がきたときに、充填位置となり、該薬剤導出部（２）の底面（２ｅ）の穴（２ｆ）と該本体（１）の薬剤収容室（５ｂ）が重なって該薬剤収容室（５ｂ）に粉末薬剤が充填され、さらに該薬剤貯蔵部（５）の底面の穴（５ｃ）と該薬剤導出部（２）の管（２ｇ）が合わさることにより、ポンプ部（３）の内部が投与器の外部と連通した状態となるので、該ポンプ部（３）からの該薬剤収容室（５ｂ）への空気圧が軽減され粉末薬剤の充填精度が高まる。また該円弧状穴（１３ｄ）の反対側の最端部に該突起（４ａ）がきたときに該薬剤導出部（２）の管（２ｇ）と、該薬剤収容室（５ｂ）が連接して該薬剤収容室（５ｂ）内の粉末薬剤が噴霧可能な状態になるため操作しやすい。さらに薬剤の充填位置である、回転式噴霧計量切替え装置（１３）の回転の幅の一端に、充填位置、他端に噴霧位置などと表示することによって、より操作しやすくなり誤操作を防ぐことになるので好ましい。
本発明の投与器は、前述のとおり、薬剤貯蔵部（５）に薬剤導出部（２）およびふた部（４）を組み合わせることにより薬剤貯蔵室（５ａ）内は密閉状態とすることができるが、薬剤を充填する際にはこの密閉状態のために、該薬剤貯蔵室（５ａ）、該ポンプ部（３）、および投与器の外部との間で空気圧に差が生じる場合がある。
しかし、本発明の投与器は、薬剤貯蔵室（５ａ）の底面に穴（５ｃ）を設けてあり、薬剤を充填する際に該穴（５ｃ）と薬剤導出部底面に開口する管（２ｇ）とが合わさることによって、薬剤貯蔵室（５ａ）、ポンプ部（３）、および投与器の外部の空気圧を均一とすることが可能であり、したがって、定量の薬剤を計量することが可能である。
図５に示す、薬剤導出部（２）の底面（２ｅ）に設置された、穴（２ｆ）の中心と、該管（２ｇ）の中心との角度（ｘ）は、図１４に示す回転式噴霧切替え装置１３の円弧状穴（１３ｄ）の角度（ｙ）と同一で、６０度〜１８０度の範囲であることが好ましい。より好ましくは、９０度〜１２０度の範囲である。薬剤導出部（２）は充填位置と投与位置との間をこの角度の範囲で回転する間、軸方向に２〜３個設けた羽根（２１）が薬剤貯蔵室（５ａ）内の薬剤を撹拌する。
本発明の薬剤導出部（２）の薬剤貯蔵室（５ａ）側の面（２ｉ）は、該薬剤導出部（２）の底面（２ｅ）に対し１５度−４５度の範囲の角度（α）を有することが、薬剤定量性の点で好ましい。角度（α）はより好ましくは２５度から３５度の範囲である。また該薬剤導出部（２）の管（２ｇ）は該薬剤導出部（２）の底面（２ｅ）に対して２０度−６０度の範囲の角度（β、γ）を有することが、薬剤分散性の点で好ましい。何れ（β、γ）もより好ましくは２５度から４０度の範囲である。
本発明の投与器には、粉末薬剤を湿気によるかさ密度の変化等を回避したり、薬剤噴霧時の分散性を維持するため必要に応じて通常用いられる乾燥剤を搭載することができる。
本発明の投与器は、ディスポーザブルであってもよい。
本発明の投与器によって粉末薬剤を投与することが可能な部位は特に制限されないが、例えば鼻腔あるいは肺などの体腔を挙げることができる。
かくして本発明は、携帯に便利で、使用時の操作が簡便で、一定の分量の粉末薬剤を正確に噴霧・吸入投与可能で、且つ比較的安価な粉末薬剤多回投与器を提供できるという優れた効果を奏するものである。
本発明は、特に一回の使用量が微量の粉末薬剤の複数回分の量を容器内に収納した投与器として適している。
実施例
以下、本発明を添付の図面に基づく実施例により説明するが、本発明がこれによって限定されるものではない。
［実施例１］
図１は本発明の粉末薬剤多回投与器の全体構成を示す断面図である。直径３．５ｍｍ、深さ３．３ｍｍの薬剤収容室（５ｂ）を有する、薬剤貯蔵部（５）の内径が１５ｍｍの円筒状の本体（１）を環状オレフィンコポリマーで成型加工し製造した。その際、薬剤貯蔵部の底面には薬剤収容室（５ｂ）と穴（５ｃ）をそれぞれ直径３ｍｍ、２ｍｍとなるようにあけた。また、噴霧口（２ｈ）の直径が４ｍｍ、ふた部（４）と本体（１）とに接続する内径１８ｍｍの底部を有する回転式噴霧計量切替え装置（１３）をポリプロピレンで成型加工して製造した。また、底面が直径１５ｍｍの円盤状であり、回転式噴霧計量切替え装置（１３）に接続される柱状部分の高さが２７．５ｍｍである薬剤導出部（２）を環状オレフィンコポリマーで成型加工して製造し本体（１）に取り付けた。薬剤導出部（２）では、薬剤貯蔵部（５）の底面に設けた円弧状穴（５ｃ）の角度（ｙ）に対応して、穴（２ｆ）と管（２ｇ）それぞれの中心間の角度（ｘ）を１１５度とした。また、傾斜面（２ｉ）の底面（２ｅ）に対する角度（α）は３０度、管（２ｇ）の底面（２ｅ）に対する角度は、外側（β）が３５度、内側（γ）が４０度とした。また、薬剤導出部（２）の先端（２ｊ）が挿入される直径５．０ｍｍの穴（１１）を有する、図３に示すふた部（４）をポリプロピレンで成型加工し製造した。次いで、該本体部（１）に目開き５μｍのポリプロピレン製のメンブレンフィルター（６）とポリエチレン製のポンプ部（３）を取り付け、該薬剤貯蔵部（５）に粒子径が３８〜１５０μｍの粉末薬剤を１０００ｍｇ充填し、該本体（１）に該ふた部（４）を挿入した後、回転式噴霧計量切替え装置（１３）を本体（１）に取り付け、最後に噴霧口（２ｈ）にポリプロピレン製の本体カバー（９）を被せ（装置全体としての高さは約８５ｍｍ、直径は約２４ｍｍ）、本発明の投与器とした。
［対照例１］
実施例１では本体（１）と薬剤導出部（２）とを環状オレフィンコポリマーで成型加工したが、これら２種の部品をポリプロピレンで成型加工し他は実施例１と同一に製造して対照例１とした。これら実施例１及び対照例１に、粒度が４９−１５０ミクロンのヒドロキシプロピルセルロース（９９．８％）とステアリン酸マグネシウム（０．２％）とからなる混合粉体（かさ密度＝０．５０）を１ｇとり薬剤貯蔵部（５）に入れた。回転式噴霧計量切替え装置（１３）を充填位置及び噴霧位置と交互に往復させ噴霧位置でポンプを押圧することにより連続的に該混合粉体を噴霧し、投与器の全重量を毎回測定することにより単回投与分の噴霧量を記録した。３０回にわたって噴霧した結果、実施例１では平均１６．７ｍｇ（ＣＶ＝２．２％）というきわめて安定して均一な噴霧量であり回転式噴霧計量切替え装置（１３）の往復運動もスムーズで問題はなかった。一方対照例１では平均１６．０ｍｇ（ＣＶ＝２．８％）という実施例１とほぼ同程度の噴霧均一性ではあったが、２０回目あたりから回転式噴霧計量切替え装置（１３）の往復運動に抵抗があった。３０回噴霧が終わった状態で１日放置すると回転式噴霧計量切替え装置（１３）は回転しなくなった。また、本体内部底面と薬剤導出部（２）との間に混合粉体が認められた。これらの事実は対照例１の本体と薬剤導出部（２）との寸法に成型に使用した高分子材料に基づく誤差が生じたためと推察された。
［対照例２］
実施例１と同じ材質を用い、薬剤貯蔵部（５）の底面の穴（５ｃ）をなくしたものを実施例１と同一に製造して対照例２とした。これら実施例１及び対照例２に、上述の［対照例１］と同一の粒度が４９−１５０ミクロンのヒドロキシプロピルセルロース（９９．８％）とステアリン酸マグネシウム（０．２％）とからなる混合粉体（かさ密度＝０．５０）を１ｇとり薬剤貯蔵部（５）に入れた。回転式噴霧計量切替え装置（１３）を充填位置及び噴霧位置と交互に往復させ噴霧位置でポンプを押圧することにより連続的に該混合粉体を噴霧し、投与器の全重量を毎回測定することにより単回投与分の噴霧量を記録した。その結果を表１及び図１５、図１６に示す。３０回にわたって噴霧した場合、実施例１では平均１６．７ｍｇ（ＣＶ＝２．２％）というきわめて安定して均一な噴霧量であり回転式噴霧計量切替え装置（１３）の往復運動もスムーズで問題はなかった。一方対照例２では平均１５．８ｍｇ（ＣＶ＝２．８％）と、実施例１と比べ噴霧均一性はやや低下するものの噴霧精度という点では製剤的に許容範囲であることを確認した。しかしながら、同じ装置を用い同じ粉をそれぞれ同じ量充填して再現性を確認したところ、実施例１では平均１６．５ｍｇ（ＣＶ＝１．９％）というきわめて安定して均一な噴霧量であり、かつ１回目との差はまったく認められなかった。さらに、回転式噴霧計量切替え装置（１３）の往復運動もスムーズで問題はなかった。一方対照例２では平均１４．１ｍｇ（ＣＶ＝１０．５％）と、実施例１と比べ噴霧均一性は低下した。さらには、対照例１の１回目と比べても平均噴霧量が１ｍｇ以上低下し、またＣＶ値も大きくなった。
0003960916.tif 000002
0003960916.tif 000003
これより、薬剤貯蔵部（５）の底面の穴（５ｃ）は再現性のある噴霧量の均一性の達成に重要であることがわかる。
［実施例２−４、対照例３］
本体（１）と薬剤導出部（２）とを、それぞれポリカーボネート（実施例２）、ＡＢＳ（実施例３）、およびハイインパクトポリスチレン（実施例４）で成型加工し、その他は実施例１と同様に製造した実施例２−４、及び本体（１）と薬剤導出部（２）とをポリエチレンで成型加工しその他は実施例１と同様に製造した対照例３の４種につき対照例１の項に記載したのと同様の方法で試験した。対照例２では対照例１と同じ、実施例２−４では実施例１とほぼ同じ結果が得られた。
［実施例５−６、対照例４−５］
実施例１の角度β、γはそれぞれ３５，４０度に保ったまま、角度αを０度から５０度まで変化させた実施例５−６、対照例４−５について（表２参照）、実施例１と同じ噴霧試験をした結果を表２に示す。角度αが１５−４５度の範囲で良好な噴霧性を示すことがわかる。
0003960916.tif 000004
［実施例７−９、対照例６−８］
実施例１の角度αは３０度に保ったまま、角度β、γを１５度から９０度まで変化させた実施例７−８、対照例６−８（表２参照）について、単回で噴霧される量及び噴霧口（２ｈ）から出る粉末薬剤の粒度分布をレーザー回折式粒度分布測定器で測定し、粒径３００ミクロン以上の分画（凝集分）を測定した。結果を表３に示す。対照例６，８では噴霧量の減少が、対照例７では粒子の分散性悪化が認められる。
0003960916.tif 000005
［実施例１０−１３］
フィルター（６）の凹凸による単回噴霧量の制御
表側（凸面）の容積が０．００３３５ｃｍ３で、裏面がフラット（凹凸なし）のフィルターＡと、表側（凸面）の容積が０．００６７０ｃｍ３で、裏面（凹面）の容積が０．００３３５ｃｍ３のフィルターＢを薬剤収容室（５ｂ）の容積が０．３１４ｃｍ３である本発明の一例である薬剤多回投与器にそれぞれ表面、裏面で接着し、粉末薬剤の噴霧試験を行った。すなわち、フィルターＡの表面を薬剤収容室（５ｂ）に向け装着した場合（実施例１０）、薬剤収容室の容積は０．０３１４−０．００３３５＝０．０２８０５ｃｍ３となり、同様にフィルターＡの裏面を薬剤収容室（５ｂ）に向け装着した場合（実施例１１）０．０３１４ｃｍ３、フィルターＢの表面を薬剤収容室（５ｂ）に向け装着した場合（実施例１２）０．０２４７０ｃｍ３、フィルターＢの裏面を薬剤収容室（５ｂ）に向け装着した場合（実施例１３）０．０３４７５ｃｍ３となる。
これらの場合に、粉末薬剤６５０ｍｇを薬剤貯蔵室に充填し、各ｎ＝６で噴霧した場合の平均噴霧量およびＣＶ％を表４に示す。
0003960916.tif 000006
【図面の簡単な説明】
図１は実施例における本発明の粉末薬剤多回投与器の断面図。
図２は本体（１）の内、薬剤貯蔵部（５）の断面図。
図３は本体（１）の内、ふた部（４）の断面図。
図４は薬剤導出部（２）の全体断面図。
図５は薬剤導出部（２）の底部の図。
図６は回転式噴霧計量切替え装置（１３）の断面図。
図７はポンプ部（３）の断面図。
図８は本体カバー（９）の断面図。
図９はフィルター（６）を含む薬剤収容室（５ｂ）の断面図。
図１０はフィルター（６）の図。
図１１は薬剤導出部（２）の底面付近の図。
図１２は薬剤導出部（２）の底面付近の図。
図１３は薬剤導出部（２）の底面付近の図。
図１４は回転式噴霧計量切替え装置（１３）の溝（１３ｄ）付近の図で、径の小さな円筒部分（１３ｂ）の反対側から見た図。
図１５は実施例１と対照例２とを比較した実験データで、噴射回数に対する投与量の変化を示す図。
図１６は実施例１と対照例２とを比較した実験データで、噴射回数に対するＣＶ値の変化を示す図。
【図１】
0003960916.tif 000007
【図２】
0003960916.tif 000008
【図３】
0003960916.tif 000009
【図４】
0003960916.tif 000010
【図５】
0003960916.tif 000011
【図６】
0003960916.tif 000012
【図７】
0003960916.tif 000013
【図８】
0003960916.tif 000014
【図９】
0003960916.tif 000015
【図１０】
0003960916.tif 000016
【図１１】
0003960916.tif 000017
【図１２】
0003960916.tif 000018
【図１３】
0003960916.tif 000019
【図１４】
0003960916.tif 000020
【図１５】
0003960916.tif 000021
【図１６】
0003960916.tif 000022